(57)【特許請求の範囲】
【請求項１】
電話回線から到来する着信信号に応答して着信記録を行う留守番電話機において、
操作手段により入力された特定曜日において、着信後の着信記録を行うか否かの情報を記憶する記憶手段と、
着信時に前記記憶手段の記憶情報に基づいて着信記録を行うか否かを判断し、前記記憶手段に特定曜日の着信記録否が記憶され、前記特定曜日と電話回線から到来する発信者情報に含まれる曜日とが一致したときに着信記録を行わないように制御する制御手段を設けたことを特徴とする留守番電話機。
【発明の詳細な説明】
【０００１】
【発明の属する技術分野】
本発明は、留守番電話機に関する。
【０００２】
【従来の技術】
従来より、留守番電話機には、データ通信時において発信者電話番号等の発信者情報が着信側に報知される高速大容量のデータ通信を可能にするＩＳＤＮ（統合デジタルサービス網）や、着信時において発信者電話番号等の発信者情報が着信側に報知されるサービスが開始される一般公衆回線網等の電話回線が接続されており、このような留守番電話機では、電話回線から到来する着信信号に対してその着信情報の記録を行うようにするものが提案されている。
【０００３】
【発明が解決しようとする課題】
ところが、上記従来装置では、着信した全ての着信情報を記録してしまい、記録する必要のない着信、例えば、外線リモート機能を使用するための着信や、ファクシミリによる着信、及びパソコン通信での着信等の場合にも着信情報を記録してしまうため、着信情報を記録するために用いられる半導体メモリ等の記憶容量を無駄に使用してしまい、その結果、多くの着信情報を残すことができなくなるといった問題点が生じると共に、無駄な着信情報が記録されるので、着信情報の整理に手間がかかるといった問題点があった。
【０００４】
本発明は、無駄な着信情報の記録を抑制し、着信情報の整理の手間を省くことができる留守番電話機を提供することを目的とするものである。
【０００６】
【課題を解決するための手段】
本発明は、電話回線から到来する着信信号に応答して着信記録を行う留守番電話機において、操作手段により入力された特定曜日において、着信後の着信記録を行うか否かの情報を記憶する記憶手段と、着信時に前記記憶手段の記憶情報に基づいて着信記録を行うか否かを判断し、前記記憶手段に特定曜日の着信記録否が記憶され、前記特定曜日と電話回線から到来する発信者情報に含まれる曜日とが一致したときに着信記録を行わないように制御する制御手段とを設けたものである。
【０００９】
従って、操作手段により入力された特定曜日における、着信後の着信記録否の情報が記憶されており、特定曜日と電話回線から到来する発信者情報に含まれる曜日とが一致したときに着信記録を行わないように制御することにより、無駄な着信情報の記録を抑制することができる。
【００１１】
【発明の実施の形態】
以下、本発明の実施の形態について図面を参照して詳細に説明する。
【００１２】
図１は本発明の一実施の形態である留守番電話機の電気的構成を示す概略機能ブロック図、図２は同留守番電話機における着信時の動作制御を示すフローチャートであ。
【００１３】
図１において、１は図示しない交換機を介して相手側電話機に接続される電話回線、２は電話回線１の捕捉／開放を行うと共に捕捉した電話回線１を通じて相手側電話機との通話経路を形成する回線インターフェース、３は回線インターフェース２を通じて電話回線１に送出するダイヤル信号を生成するダイヤル回路、４は着信時において電話回線１から呼出信号とともに到来する発信者情報を受信する発信者情報受信手段、５は電話回線１から到来する呼出信号を検出する着信検出回路、６は電話回線１から到来する音声信号の中に含まれているＤＴＭＦ信号を検出するＤＴＭＦ信号検出手段、７はＣＰＵ，ＲＯＭ，ＲＡＭ及びＩ／Ｏ回路等によって構成される主制御部であり、回線イターフェース２における回線捕捉／開放制御や、ダイヤル回路３におけるダイヤル信号生成制御や、表示手段１１における表示制御及び記憶手段１２におけるデータ書込／読出制御等を行っている。
【００１４】
８は回線インターフェース２によって形成された通話経路を通じて相手側電話機との通話を行うハンドセット、９はハンドセット８の載置／取上状態を検出するフックスイッチ、１０は電話番号等の各種番号の入力や各種機能の起動等を指示する操作入力手段、１１は着信記録を表示する表示手段、１２は操作入力手段１０によって入力された特定電話番号や電話番号非通知時の着信記録を行うか否か及び特定曜日の着信記録を行うか否かを表す情報を記憶する記憶領域Ａと電話のかかってきた発信者情報を記憶する記憶領域Ｂとからなる記憶手段、１３は着信音や用件等を外部に放音するスピーカである。
【００１５】
上記のように構成された留守番電話機について、着信時の動作を図２に示すフローチャートに基づいて説明する。
【００１６】
操作入力手段１０による操作によって記憶手段１２の記憶領域Ａに特定電話番号や電話番号非通知時の着信記録を行うか否か及び特定曜日の着信記録を行うか否かを表す情報が記憶されている状態において、電話回線１から受信起動信号が到来し、その受信起動信号が発信者情報受信手段４によって受信される（ステップＳ１）と、主制御部７は回線インターフェース２を制御して電話回線１を捕捉させることによって発信者情報受信手段４によって電話回線１から到来する発信者情報を受信させ、その受信した発信者情報を一時格納させた後に再び回線インターフェース２を制御して電話回線１を開放させる（ステップＳ２）。
【００１７】
そして、その後、電話回線１から呼出信号が到来し、その呼出信号が着信検出回路５によって所定回数以上検出される（ステップＳ３）と、主制御部７は回線インターフェース２を制御して電話回線１を捕捉させると共に、相手側電話機に応答メッセージを送出させる（ステップＳ４）。
【００１８】
そして、この応答メッセージの送出中又は応答メッセージの送出後において、ＤＴＭＦ信号検出手段６によって電話回線１から到来する外線リモート機能の起動を表すＤＴＭＦ信号の”＃”が検出された場合（ステップＳ５）、及び着信記録の消去要求を表すＤＴＭＦ信号の”＊”が検出された場合（ステップ６）において着信情報の記録を行わずに着信時の動作制御を終了し、又一時格納された発信者情報に含まれる発信者側電話番号と記憶手段１２の記憶領域１２Ａに記憶された特定電話番号とが一致したと判断されたとき、記憶手段１２の記憶領域１２Ａに電話番号非通知時の着信記録拒否を表す情報が記憶されている状態において一時格納された発信者情報に発信者側電話番号が含まれてないと判断されたとき、又は記憶手段１２の記憶領域１２Ａに記憶された着信情報の記録を行わない曜日と一時格納された発信者情報に含まれる曜日とが一致したと判断されたときにおいても（ステップＳ７）、着信情報の記録を行わずに着信時の動作制御を終了する。
【００１９】
一方、応答メッセージの送出中又は応答メッセージの送出後において、外線リモート機能の起動を表すＤＴＭＦ信号の”＃”や着信記録の消去要求を表すＤＴＭＦ信号の”＊”が検出されず（ステップＳ５、Ｓ６）、且つ一時格納された発信者情報と記憶手段１２の記憶領域１２Ａに記憶された情報とが所定の一致関係にないと判断されたとき（ステップＳ７）において、記憶手段１２の記憶領域１２Ｂに着信情報を記録し（ステップＳ８）、着信時の動作制御を終了する。
【００２０】
尚、発信者情報受信手段４によって電話回線１から到来する発信者情報を受信して一時格納した後（ステップＳ２）において、電話回線１から呼出信号が到来しないとき（ステップＳ３）には、一時格納された発信者情報と記憶手段１２の記憶領域１２Ａに記憶された情報とが所定の一致関係のみに基づいて記憶手段１２の記憶領域１２Ｂに着信情報を記録するか否かの判断を行い（ステップＳ７）、その後、記憶手段１２の記憶領域１２Ｂに着信情報を記録し（ステップＳ８）又は記録せずに着信時の動作制御を終了する。
【００２１】
従って、上記動作制御によれば、着信時に往来する発信者情報及び回線捕捉中に到来する信号情報に基づいて適宜着信情報を記録するか否かを決定し、無駄な着信情報の記録を抑制することができる。
【００２２】
【発明の効果】
以上のように、本発明によれば、着信時に到来する発信者情報に基づいて着信記録するか否かを決定することにより、無駄な着信記録を抑制することができるため、必要と考えられる着信記録をより多く残すことができると共に、使用者における着信記録の整理の手間を省くことができる。
【図面の簡単な説明】
【図１】本発明の一実施の形態である留守番電話機の電気的構成を示す概略機能ブロック図。
【図２】同留守番電話機における着信時の動作制御を示すフローチャート。
【符号の説明】
１    電話回線
２    回線インターフェース
３    ダイヤル回路
４    発信者情報受信手段
５    着真検出回路
６    ＤＴＭＳ信号検出手段
７    主制御部
８    ハンドセット
９    フックスイッチ
１０    操作入力手段
１１    表示手段
１２    記憶手段
１３    スピーカ
【図１】
0003617588.tif 000002
【図２】
0003617588.tif 000003